(57)【要約】      （修正有）【課題】  複合電子機器において、各装置ユニット（光学式ディスク記録／再生ユニット及びビデオカセット記録再生ユニット）の媒体挿入口の高さを略同じにした配置を考慮し、ＦＦＣを使って操作ボタン制御回路基板と機器ユニットとを接続する際に、ＦＦＣを折り曲げても他の部品の配置に悪影響を与えず、限られたスペースでの配線が可能な電子機器の提供する。【解決手段】  光ディスク記録／再生ユニットの操作ボタンの操作信号を該ユニットの制御回路基板上の操作制御回路に伝えるために、光ディスク記録／再生ユニットとその下方に配置された制御回路基板６２の間であって該制御回路基板６２の機器前方に配置したコネクタＡと操作ボタン制御回路基板３６上のコネクタＢとの間を、山折り１０１及び谷折り１０２によりＺ状に折り曲げられたフレキシブル・フラット・ケーブル１００によって接続した複合電子機器。【選択図】図６
2005135537.tif 000002
【特許請求の範囲】
【請求項１】
筐体内に前面に光ディスク媒体挿入部が設けられた光ディスク記録／再生ユニットと、前面にビデオカセット媒体挿入部が設けられたビデオカセット記録再生ユニットとを配置し、夫々のユニットを複数の支持柱により支持して並列配置し、前記光ディスク記録／再生ユニットの支持柱の高さを前記ビデオカセット記録再生ユニットの支持柱の高さより高く形成して夫々の媒体挿入部の高さが略同じ高さになるように構成し、
前記筐体の前面には前面操作パネルを設け、該前面操作パネルには前記光ディスク記録／再生ユニット及びビデオカセット記録再生ユニットの夫々を操作する操作ボタンを備え、該前面操作パネルの背面には各操作ボタンの操作を前記各ユニットに伝える操作ボタン制御回路基板を配置し、かつ、前記光ディスク記録／再生ユニットと筐体底面との間には、該光ディスク記録／再生ユニットの制御回路が設けられた第一の制御回路基板を配置し、前記ビデオカセット記録再生ユニットと筐体底両との間には、該ビデオカセット記録再生ユニットの制御回路が設けられた第二回路基板を配置しており、
前記光ディスク記録／再生ユニットの操作ボタンの操作信号を前記第一の制御回路基板上の操作制御回路に伝えるために、前記光ディスク記録／再生ユニットとその下方に配置された第一の制御回路基板の間であって該第一の制御回路基板の機器前方に面した側にコネクタ（Ａ）を配置し、該第一の制御回路基板上のコネクタ（Ａ）と前記操作ボタン制御回路基板上のコネクタ（Ｂ）との間を、山折り及び谷折りによりＺ状に折り曲げられたフレキシブル・フラット・ケーブルによって接続したことを特徴とする複合電子機器。
【請求項２】
前記山折り及び谷折りによりＺ状に折り曲げられたフレキシブル・フラット・ケーブルは、前記前面操作パネルの背面において、光ディスク媒体挿入部よりも下方に位置するように折り曲げられており、光ディスク媒体の挿入の邪魔にならないように構成されたことを特徴とする請求項１記載の複合電子機器。
【請求項３】
筐体内に前面に光ディスク媒体挿入部が設けられた光ディスク記録／再生ユニットと、前面にビデオカセット媒体挿入部が設けられたビデオカセット記録再生ユニットとを配置し、夫々のユニットを複数の支持柱により支持して並列配置し、前記光ディスク記録／再生ユニットの支持柱の高さを前記ビデオカセット記録再生ユニットの支持柱の高さより高く形成して夫々の媒体挿入部の高さが略同じ高さになるように構成し、
前記筐体の前面には前面操作パネルを設け、該前面操作パネルには前記光ディスク記録／再生ユニット及びビデオカセット記録再生ユニットの夫々を操作する操作ボタンを備え、該前面操作パネルの背面には各操作ボタンの操作を前記各ユニットに伝える操作ボタン制御回路基板を配置し、かつ、前記光ディスク記録／再生ユニットと筐体底面との間には、該光ディスク記録／再生ユニットの制御回路が設けられた第一の制御回路基板を配置し、前記ビデオカセット記録再生ユニットと筐体底両との間には、該ビデオカセット記録再生ユニットの制御回路が設けられた第二回路基板を配置しており、
前記ビデオカセット記録再生ユニットの操作ボタンの操作信号を前記第二の制御回路基板上の操作制御回路に伝えるために、前記ビデオカセット記録再生ユニットとその下方に配置された第二の制御回路基板の間であって、該第二の制御回路基板の機器側方に面した側にコネクタ（Ｃ）を配置し、該第二の制御回路基板上のコネクタ（Ｃ）と前記操作ボタン制御回路基板上のコネクタ（Ｄ）との間を９０度折り曲げたフレキシブル・フラット・ケーブルによって接続したことを特徴とする複合電子機器。
【請求項４】
前記９０度折り曲げたフレキシブル・フラット・ケーブルは、前記操作ボタン制御回路基板上のコネクタ（Ｄ）から、前記第二の制御回路基板の側面に沿って機器後方に向けて延びており、コネクタ（Ｃ）の上方で９０度折り曲げられていることを特徴とした請求項３記載の複合電子機器。
【請求項５】
筐体内に前面に光ディスク媒体挿入部が設けられた光ディスク記録／再生ユニットと、前面にビデオカセット媒体挿入部が設けられたビデオカセット記録再生ユニットとを配置し、夫々のユニットを複数の支持柱により支持して並列配置し、前記光ディスク記録／再生ユニットの支持柱の高さを前記ビデオカセット記録再生ユニットの支持柱の高さより高く形成して夫々の媒体挿入部の高さが略同じ高さになるように構成し、
前記筐体の前面には前面操作パネルを設け、該前面操作パネルには前記光ディスク記録／再生ユニット及びビデオカセット記録再生ユニットの夫々を操作する操作ボタンを備え、該前面操作パネルの背面には各操作ボタンの操作を前記各ユニットに伝える操作ボタン制御回路基板を配置し、かつ、前記光ディスク記録／再生ユニットと筐体底面との間には、該光ディスク記録／再生ユニットの制御回路が設けられた第一の制御回路基板を配置し、前記ビデオカセット記録再生ユニットと筐体底両との間には、該ビデオカセット記録再生ユニットの制御回路が設けられた第二回路基板を配置しており、
前記光ディスク記録／再生ユニットの操作ボタンの操作信号を前記第一の制御回路基板上の操作制御回路に伝えるために、前記光ディスク記録／再生ユニットとその下方に配置された第一の制御回路基板の間であって該第一の制御回路基板の機器前方に面した側にコネクタ（Ａ）を配置し、該第一の制御回路基板上のコネクタ（Ａ）と前記操作ボタン制御回路基板上のコネクタ（Ｂ）との間を山折り及び谷折りによりＺ状に折り曲げられたフレキシブル・フラット・ケーブルによって接続し、
さらに、前記ビデオカセット記録再生ユニットの操作ボタンの操作信号を前記第二の制御回路基板上の操作制御回路に伝えるために、前記ビデオカセット記録再生ユニットとその下方に配置された第二の制御回路基板の間であって、該第二の制御回路基板の機器側方に面した側にコネクタ（Ｃ）を配置し、該第二の制御回路基板上のコネクタ（Ｃ）と前記操作ボタン制御回路基板上のコネクタ（Ｄ）との間を９０度折り曲げたフレキシブル・フラット・ケーブルによって接続したことを特徴とする複合電子機器。
【請求項６】
前記山折り及び谷折りによりＺ状に折り曲げられたフレキシブル・フラット・ケーブルは、前記前面操作パネルの背面であって、光ディスク媒体挿入部よりも下方に位置するように折り曲げられており、光ディスク媒体の挿入の邪魔にならないように構成され、
前記９０度折り曲げたフレキシブル・フラット・ケーブルは、前記操作ボタン制御回路基板上のコネクタ（Ｄ）から、前記第二の制御回路基板の側面に沿って機器後方に向けて延びており、コネクタ（Ｃ）の上方で９０度折り曲げられていることを特徴とした請求項５記載の複合電子機器。
【請求項７】
折り曲げ位置を表示したフレキシブル・フラット・ケーブルであって、山折りをする位置を指示する表示、及び谷折りをする位置を指示する表示を施すことにより、夫々の表示位置で正確に山折り及び谷折り可能に構成されたことを特徴とするフレキシブル・フラット・ケーブル。
【請求項８】
折り曲げ位置を表示したフレキシブル・フラット・ケーブルであって、９０度折り曲げる位置を指示する表示を施すことにより、当該表示位置で９０度折り曲げ可能に構成されたことを特徴とするフレキシブル・フラット・ケーブル。
【発明の詳細な説明】
【技術分野】
【０００１】
本発明は、操作ボタン制御回路基板と機器ユニットとの間を折り曲げられたフレキシブル・フラット・ケーブルによって接続した複合電子機器に関し、特に、ＤＶＤ（Ｄｉｇｉｔａｌ  Ｖｅｒｓａｔｉｌｅ  Ｄｉｓｋ）ドライブ等の光ディスク記録／再生ユニット及びビデオカセット記録再生ユニット（ＶＣＲ：Ｖｉｄｅｏ  Ｃａｓｓｅｔｔｅ  Ｒｅｃｏｒｄｅｒ）を組み込んだ複合電子機器において、操作ボタン制御回路基板と機器ユニット（記録再生ユニット及び記録／再生ユニット）とを折り曲げられたフレキシブル・フラット・ケーブルによって接続した複合電子機器に関する。
【０００２】
本発明は、その発明の趣旨に反しないで、実施例において説明した以外の電子機器にも容易に適用可能なものであることは自明のことである。また、本発明において、記録再生ユニットとは記録と再生が可能なユニットを意味し、記録／再生ユニットとは、再生又は記録のみが可能なユニットと、記録及び再生が可能なユニットを含む意味として用いている。もちろん、このような装置において記録のみが可能な装置というものは稀有ではあるが、本発明においてそれを除外する必要はないので、以上のように各用語を解釈する。
また、本特許明細書においては、フレキシブル・フラット・ケーブル（Ｆｌｅｘｉｂｌｅ  ｆｌａｔ  ｃａｂｌｅ）を、以下、ＦＦＣとして表現する。
【背景技術】
【０００３】
近年、媒体にＤＶＤ、ハードディスク等を用いた大容量の記録／再生装置が実用化されるとともに、従来使用されていたアナログ式のビデオカセット記録再生装置と複合化した電子機器が開発され販売されてきている。
こうした複合電子機器の内部レイアウトとしては、例えば、特許文献１には、筐体の底面を構成するシャーシの上面に第一の再生系ユニット及び第二の再生系ユニットを水平に並列配置し、上面パネルの裏面にＣＰＵ等からなる主制御回路等を構成した基板を備え付けたものが開示され、また、特許文献２には、光学式ディスク装置において、回路基板を機械式フレームの上下に配置したものが開示されている。
【０００４】
本発明者は、このような複合電子機器の開発にあたり、光学式ディスク記録／再生ユニットの外形寸法が、ビデオカセット記録再生ユニットの外形寸法よりも高さが低くなるとを利用して、光学式ディスク記録／再生ユニットを複数の支持柱で支持して、光学式ディスク記録／再生ユニットとビデオカセット記録再生ユニットの記録媒体挿入部の高さを略同じになるように配置し、光学式ディスク記録／再生ユニットと筐体底面との間に空きスペースを確保する電子機器の開発に関わってきた。
【０００５】
このような複合電子機器は、前面に各装置ユニット（光学式ディスク記録／再生ユニット及びビデオカセット記録再生ユニット）を操作するための操作ボタンを配置した操作パネルが設けられ、該前面操作パネルの背面には各操作ボタンの操作を各ユニットに伝える操作ボタン制御回路基板が配置されており、該操作ボタン制御回路基板と各ユニットの制御基板とは適宜ケーブルによって接続されている。
【０００６】
このような機器においては、複数の基板間の電気的接続をとるために通常用いられるケーブルは普通の被覆ワイアと、平板状のＦＦＣと呼ばれるケーブルがある。ＦＦＣは、複数の接続点を同時に接続でき、その形状から平面に垂直方向には可撓性があるために配線接続が容易であるが、平面に水平方向には極めて曲がりにくい性質を持っており、基板上に自由にコネクタの位置や方向を決められない場合がある。
【０００７】
そのようなことから、基板間の電気的接続をとるための配線としてＦＦＣを使用する場合には、ＦＦＣを適当な位置において折り曲げて配線する必要が生ずることがあるが、通常、ＦＦＣには、所定位置で折り曲げるための目標がなく、その都度、目測によって折り曲げると、折り曲げ個所が正確でないという問題点もあった。そこで、予め設定した折り曲げすべき位置を容易に判別できるように、ＦＦＣ表面に目印を付けて、その部分の扁平導体を幅広に構成したものが開発されている（特許文献３）。しかしながら、ここに開示されているＦＦＣは、単に、折り曲げすべき位置を表示しているのみであり、山折りすべき位置なのか、谷折りすべき位置なのかの区別がない。
【０００８】
【特許文献１】特開２００２−５０１７１号公報
【特許文献２】特開平９−７３７６６号公報
【特許文献３】特開平８−２０３３４０号公報
【発明の開示】
【発明が解決しようとする課題】
【０００９】
本発明が解決しようとする課題は、電子機器、特に、複合電子機器において、各装置ユニット（光学式ディスク記録／再生ユニット及びビデオカセット記録再生ユニット）の媒体挿入口の高さを略同じにした配置を考慮し、ＦＦＣを使って操作ボタン制御回路基板と機器ユニットとを接続する際に、ＦＦＣを折り曲げても他の部品の配置に悪影響を与えず、限られたスペースでの配線が可能な電子機器を提供しようとするものである。
【００１０】
また、本発明は、ＦＦＣに対して、単に、折り目を表示しただけでは間違った方向に折ることもあり、再度、逆方向に折り返す必要から、複数回、同じ位置での折り返しをすることによる導線の切断を避けるように、所定の位置での山折り、谷折り、又は９０度折り曲げが正確にできるようにしたＦＦＣを提供することである。
【課題を解決するための手段】
【００１１】
本発明は、筐体内に前面に光ディスク媒体挿入部が設けられた光ディスク記録／再生ユニットと、前面にビデオカセット媒体挿入部が設けられたビデオカセット記録再生ユニットとを配置し、夫々のユニットを複数の支持柱により支持して並列配置し、前記光ディスク記録／再生ユニットの支持柱の高さを前記ビデオカセット記録再生ユニットの支持柱の高さより高く形成して夫々の媒体挿入部の高さが略同じ高さになるように構成し、
前記筐体の前面には前面操作パネルを設け、該前面操作パネルには前記光ディスク記録／再生ユニット及びビデオカセット記録再生ユニットの夫々を操作する操作ボタンを備え、該前面操作パネルの背面には各操作ボタンの操作を前記各ユニットに伝える操作ボタン制御回路基板を配置し、かつ、前記光ディスク記録／再生ユニットと筐体底面との間には、該光ディスク記録／再生ユニットの制御回路が設けられた第一の制御回路基板を配置し、前記ビデオカセット記録再生ユニットと筐体底両との間には、該ビデオカセット記録再生ユニットの制御回路が設けられた第二回路基板を配置しており、
前記光ディスク記録／再生ユニットの操作ボタンの操作信号を前記第一の制御回路基板上の操作制御回路に伝えるために、前記光ディスク記録／再生ユニットとその下方に配置された第一の制御回路基板の間であって該第一の制御回路基板の機器前方に面した側にコネクタ（Ａ）を配置し、該第一の制御回路基板上のコネクタ（Ａ）と前記操作ボタン制御回路基板上のコネクタ（Ｂ）との間を、山折り及び谷折りによりＺ状に折り曲げられたＦＦＣによって接続した複合電子機器を特徴とするものである。
【００１２】
また、本発明は、前記山折り及び谷折りによりＺ状に折り曲げられたＦＦＣは、前記前面操作パネルの背面において、光ディスク媒体挿入部よりも下方に位置するように折り曲げられており、光ディスク媒体の挿入の邪魔にならないように構成されたことを特徴とするものである。
【００１３】
本発明は、筐体内に前面に光ディスク媒体挿入部が設けられた光ディスク記録／再生ユニットと、前面にビデオカセット媒体挿入部が設けられたビデオカセット記録再生ユニットとを配置し、夫々のユニットを複数の支持柱により支持して並列配置し、前記光ディスク記録／再生ユニットの支持柱の高さを前記ビデオカセット記録再生ユニットの支持柱の高さより高く形成して夫々の媒体挿入部の高さが略同じ高さになるように構成し、
前記筐体の前面には前面操作パネルを設け、該前面操作パネルには前記光ディスク記録／再生ユニット及びビデオカセット記録再生ユニットの夫々を操作する操作ボタンを備え、該前面操作パネルの背面には各操作ボタンの操作を前記各ユニットに伝える操作ボタン制御回路基板を配置し、かつ、前記光ディスク記録／再生ユニットと筐体底面との間には、該光ディスク記録／再生ユニットの制御回路が設けられた第一の制御回路基板を配置し、前記ビデオカセット記録再生ユニットと筐体底両との間には、該ビデオカセット記録再生ユニットの制御回路が設けられた第二回路基板を配置しており、
前記ビデオカセット記録再生ユニットの操作ボタンの操作信号を前記第二の制御回路基板上の操作制御回路に伝えるために、前記ビデオカセット記録再生ユニットとその下方に配置された第二の制御回路基板の間であって、該第二の制御回路基板の機器側方に面した側にコネクタ（Ｃ）を配置し、該第二の制御回路基板上のコネクタ（Ｃ）と前記操作ボタン制御回路基板上のコネクタ（Ｄ）との間を９０度折り曲げたＦＦＣによって接続した複合電子機器を特徴とするものである。
【００１４】
また、本発明は、前記９０度折り曲げたＦＦＣは、前記操作ボタン制御回路基板上のコネクタ（Ｄ）から、前記第二の制御回路基板の側面に沿って機器後方に向けて延びており、コネクタ（Ｃ）の上方で９０度折り曲げられていることを特徴とするものである。
【００１５】
本発明は、筐体内に前面に光ディスク媒体挿入部が設けられた光ディスク記録／再生ユニットと、前面にビデオカセット媒体挿入部が設けられたビデオカセット記録再生ユニットとを配置し、夫々のユニットを複数の支持柱により支持して並列配置し、前記光ディスク記録／再生ユニットの支持柱の高さを前記ビデオカセット記録再生ユニットの支持柱の高さより高く形成して夫々の媒体挿入部の高さが略同じ高さになるように構成し、
前記筐体の前面には前面操作パネルを設け、該前面操作パネルには前記光ディスク記録／再生ユニット及びビデオカセット記録再生ユニットの夫々を操作する操作ボタンを備え、該前面操作パネルの背面には各操作ボタンの操作を前記各ユニットに伝える操作ボタン制御回路基板を配置し、かつ、前記光ディスク記録／再生ユニットと筐体底面との間には、該光ディスク記録／再生ユニットの制御回路が設けられた第一の制御回路基板を配置し、前記ビデオカセット記録再生ユニットと筐体底両との間には、該ビデオカセット記録再生ユニットの制御回路が設けられた第二回路基板を配置しており、
前記光ディスク記録／再生ユニットの操作ボタンの操作信号を前記第一の制御回路基板上の操作制御回路に伝えるために、前記光ディスク記録／再生ユニットとその下方に配置された第一の制御回路基板の間であって該第一の制御回路基板の機器前方に面した側にコネクタ（Ａ）を配置し、該第一の制御回路基板上のコネクタ（Ａ）と前記操作ボタン制御回路基板上のコネクタ（Ｂ）との間を山折り及び谷折りによりＺ状に折り曲げられたＦＦＣによって接続し、
さらに、前記ビデオカセット記録再生ユニットの操作ボタンの操作信号を前記第二の制御回路基板上の操作制御回路に伝えるために、前記ビデオカセット記録再生ユニットとその下方に配置された第二の制御回路基板の間であって、該第二の制御回路基板の機器側方に面した側にコネクタ（Ｃ）を配置し、該第二の制御回路基板上のコネクタ（Ｃ）と前記操作ボタン制御回路基板上のコネクタ（Ｄ）との間を９０度折り曲げたＦＦＣによって接続した複合電子機器を特徴とするものである。
【００１６】
また、本発明は、前記山折り及び谷折りによりＺ状に折り曲げられたＦＦＣは、前記前面操作パネルの背面であって、光ディスク媒体挿入部よりも下方に位置するように折り曲げられており、光ディスク媒体の挿入の邪魔にならないように構成され、
前記９０度折り曲げたＦＦＣは、前記操作ボタン制御回路基板上のコネクタ（Ｄ）から、前記第二の制御回路基板の側面に沿って機器後方に向けて延びており、コネクタ（Ｃ）の上方で９０度折り曲げられていることを特徴とするものである。
【００１７】
さらに、本発明は、折り曲げ位置を表示したＦＦＣであって、山折りをする位置を指示する表示、及び谷折りをする位置を指示する表示を施すことにより、夫々の表示位置で正確に山折り及び谷折り可能に構成されたことを特徴とする。
【００１８】
さらに、本発明は、折り曲げ位置を表示したＦＦＣであって、９０度折り曲げる位置を指示する表示を施すことにより、当該表示位置で９０度折り曲げ可能に構成されたことを特徴とする。
【発明の効果】
【００１９】
本発明は、以上のように、第一の制御回路基板上のコネクタ（Ａ）と前記操作ボタン制御回路基板上のコネクタ（Ｂ）との間を、ＦＦＣを山折り及び谷折りによりＺ状に折り曲げて接続することにより、光ディスク媒体挿入部より下方のスペースを有効に活用することが可能となった。
【００２０】
本発明は、さらに、第一の制御回路基板上のコネクタ（Ｃ）と前記操作ボタン制御回路基板上のコネクタ（Ｄ）との間を、コネクタ（Ｄ）から第二の制御回路基板の側面に沿って機器後方に向けて延びており、コネクタ（Ｃ）の上方で９０度折り曲げて接続することにより、機器側面の僅かな隙間で配線が可能であり、ケーブルに余分な長さも必要はなく、機器の小型化にも寄与している。
【発明を実施するための最良の形態】
【００２１】
以下、本発明の実施例を図面に沿って説明する。なお、以下の実施態様は、本発明を具体化する際の一形態であって、本発明をその範囲内に限定するためのものではない。
図１は、本発明の実施例である複合電子機器１０全体の外観斜視図であり、図２は、上面フレーム２０を取り外した状態の斜視図である。複合電子機器１０の筐体は、上面フレーム２０、前面操作パネル３０及び背面フレーム４０が底面フレーム５０にネジ止めされて固定されている（ネジ止めの構成は本発明に係るものではないので図示しない）。
【００２２】
上面フレーム２０は、回路基板等の組み込み易さから、筐体の上面及び側面を一体的に構成するように３方向が開放したコ字状に形成されている。前面操作パネル３０には、ＤＶＤ媒体の挿入口３１及びビデオカセット媒体の挿入口３２が略同一の高さになるように形成されている。また、ＤＶＤ装置及びＶＣＲ装置を操作するための操作ボタン３３及び３４が夫々挿入口３１及び３２の下方に配置され、中央部には表示部３５が取り付けられている。底面フレーム５０には、ＤＶＤ記録／再生ユニット６０、ビデオカセット記録再生ユニット７０及び回路基板（図２はフレーム構成の概略を示す図であるために図示していない）等が配置されてネジ止め等により固定されている。後述するが、前面操作パネル３０の背面には、夫々の操作ボタン３３及び３４のボタン操作信号を、各回路基板に伝える操作信号制御基板が配置されている。
【００２３】
図３は、底面フレーム５０の上面への各ユニット及び部品の取り付け状態を分解して示した分解斜視図である。底面フレーム５０には、ＤＶＤ記録／再生ユニット６０及びビデオカセット記録再生ユニット７０が左右方向に並べて配置されている。
【００２４】
ＤＶＤ記録／再生ユニット６０は、３本の支持柱６３、６３、６３により底面フレーム５０の上面に支持されている。ＤＶＤ記録／再生ユニット６０の底面フレーム５０上面からの高さは、支持柱６３の高さによって決められる。支持柱６３は、その下端を底面フレーム５０にネジ止め（図示せず）により固定されており、その上端はＤＶＤ記録／再生ユニット６０の下面に適当な係止手段（図示せず）により係止固定されている。なお、支持柱６３の本数を何本にするか、或いはそれらの位置については、設計的な事項である。
【００２５】
ビデオカセット記録再生ユニット７０は、４本の支持柱７３、７３、７３、７３により底面フレーム５０の上面に支持されている。ビデオカセット記録再生ユニット７０の底面フレーム５０上面からの高さは、支持柱７３の高さによって決められる。支持柱７３は、その下端を底面フレーム５０にネジ止め（図示せず）により固定されており、その上端はビデオカセット記録再生ユニット７０の下面に適当な係止手段（図示せず）により係止固定されている。なお、支持柱６３の本数を何本にするか、或いはそれらの位置については、設計的な事項である。
【００２６】
このように、ＤＶＤ記録／再生ユニット６０の支持柱６３の高さと、ビデオカセット記録再生ユニット７０の支持柱７３の高さを適宜選択して決めることにより、筐体底面５０に対する、ＤＶＤ記録／再生ユニット６０の媒体挿入口６１の高さと、ビデオカセット記録再生ユニット７０の媒体挿入口７１の高さを略同じ高さに配置させることができる。
【００２７】
図３及び図４に示されているように、ＤＶＤ記録／再生ユニット６０と底面フレーム５０との間には、ＤＶＤ用制御回路基板６２が配置されており、ビデオカセット記録再生ユニット７０と底面フレーム５０との間には、ＶＣＲ用制御回路基板７２が配置されている。また、ＤＶＤ用制御回路基板６２とＶＣＲ用制御回路基板７２との間には電源回路基板７７が配置されている。本実施例においては、ＶＣＲ用制御回路基板７２と電源回路基板７７は一体化されているが、回路構成の設計的要求から別体構成としても良い。いずれにしても、電源回路基板７７は、高さが或るトランスを搭載することから、高さに余裕のあるＤＶＤ記録／再生ユニット６０と底面フレーム５０との間に配置するのが好ましい。（図４参照）
【００２８】
図３に示した実施例においては、ＤＶＤ用制御回路基板６２の前端部は、前面に固定された２つの支持柱６３、６３よりも後方に位置するように配置されており、背面側に位置された残りの支持柱６３の取付部分に一致させて、切欠き部６４が形成されている。このようにして、残りの支持柱６３をＤＶＤ用制御回路基板６２と電源回路基板７７との間に配置しておけば、ＤＶＤ用制御回路基板６２に支持柱６３を貫通するための孔部を形成することがない。また、ＶＣＲ用制御回路基板７２には、支持柱７３が貫通する取付孔部７４が形成されており、前面に固定された支持柱６３の取付部分には切欠き部が形成されている。
【００２９】
図４は、底面フレーム５０の上面への部品の取り付け状態を正面方向から見た正面図であり、図５は、それを斜め上面から見た斜視図である。図４に示すように、ビデオカセットテープ媒体及びＤＶＤ用光ディスク媒体の大きさが異なることから、ＤＶＤ記録／再生ユニット６０は、ビデオカセット記録再生ユニット７０よりも高さが小さくなり、ＤＶＤ媒体挿入部６１の位置をビデオカセット媒体挿入部７１とほぼ同じ高さの位置にすると、ＤＶＤ記録／再生ユニット６０と底面フレーム５０との間には、空きスペースが生じる。そして、この空きスペースにＤＶＤ用制御回路基板６２及び電源回路基板７７が配置される。
【００３０】
ＤＶＤ記録／再生ユニット６０の下の空きスペースには、ある程度高さに余裕があるので、ＤＶＤ用制御回路基板６２は両面に配線パターンを形成し電子部品を両面実装にして、基板の大きさをコンパクト化し、さらに前後方向に細長い形状とすることで、電源回路基板７７の配置スペースを十分取ることができる。電源回路基板７７は、トランス７５等の部品が実装されているが、ＤＶＤ記録／再生ユニット６０の下の空きスペースには、ある程度高さに余裕が生じることから、嵩高いトランス７５を配置することができる。
【００３１】
図４において、ＤＶＤ記録／再生ユニット６０の操作ボタン３３の操作信号をＤＶＤ用制御回路基板６２上の操作制御回路に伝えるために、ＤＶＤ記録／再生ユニット６０とＤＶＤ用制御回路基板６２との間の空間の、矢印ａで示す部分に、コネクタ（Ａ）が配置されている。その接続の状態の詳細は図６に示す。前面操作パネル３０の背面に配置されたＤＶＤ記録／再生ユニット６０の操作ボタン３３の操作信号をＤＶＤ用制御回路基板６２上の操作制御回路に伝えるための操作ボタン制御回路基板３６には、コネクタ（Ｂ）が配置され、ＤＶＤ用制御回路基板６２のコネクタ（Ａ）とは、山折り１０１及び谷折り１０２によりＺ状に折り曲げられたＦＦＣ１００によって接続されている。このとき、ＦＦＣ１００の山折り部分１０１がＤＶＤ記録／再生ユニット６０の媒体挿入口６１の高さよりも下方に位置するように折り曲げることが大切である。
【００３２】
図４に示されるように、ＶＣＲ用制御回路基板７２は、下面に配線パターンが形成され電子部品を片面実装しているため、その実装スペースは薄くされている。この場合、リード付電子部品については上面に実装して、下面ではんだ付けを行うことで、上下方向の実装スペースを薄くすることもできる。さらに、ビデオカセット記録再生ユニット７０の装着部分については、チップ部品等の背の低い電子部品を実装することで実装スペースが厚くならないようにしている。そして、複合電子機器１０の筐体内に配置される部品の中でビデオカセット記録再生ユニット６０の高さが一番大きいことから、ＶＣＲ用制御回路基板７２の厚さをできるだけ薄くすることで複合電子機器１０の高さを小さくすることができる。ＶＣＲ用制御回路基板７２の前端部には、表示装置７８及び外部接続端子７９、７９が直接取り付けられている。
【００３３】
図４において、ビデオカセット記録再生ユニット７０の操作ボタン３４の操作信号をＶＣＲ用制御回路基板７２上の操作制御回路に伝えるために、ビデオカセット記録再生ユニット７０の横側で、ＶＣＲ用制御回路基板７２の上の空間の、矢印ｃで示す部分に、コネクタ（Ｃ）が配置されている。その接続の状態の詳細は図７に示す。前面操作パネル３０の背面に配置されたビデオカセット記録再生ユニット７０の操作ボタン３４の操作信号をＶＣＲ用制御回路基板７２上の操作制御回路に伝えるための操作ボタン制御回路基板３７には、コネクタ（Ｄ）が配置され、ＶＣＲ用制御回路基板７２上のコネクタ（Ｃ）と操作ボタン制御回路基板３７上のコネクタ（Ｄ）との間を９０度折り曲げたＦＦＣ１１０によって接続している。このとき、９０度折り曲げたＦＦＣ１１０は、操作ボタン制御回路基板３７上のコネクタ（Ｄ）から、ＶＣＲ用制御回路基板７２の側面に沿って機器後方に向けて延びており、コネクタ（Ｃ）の上方で９０度折り曲げられていることが大切である。
【００３４】
図８及び図９を用いて、山折り１０１及び谷折り１０２によりＺ状に折り曲げられるＦＦＣ１００の詳細を示す。ＦＦＣそのものは従来周知のケーブルであるので、その構造の説明はしないが、複数本の導体を平行に配置し、その上下面を被覆し、両端部は被覆部を剥いで導体を露出させたものである。そのＦＦＣ１００を折り曲げる際に、その折り曲げ位置を指示するために、その位置を示すマークを印刷すること自体は知られているが、その折り方までも同時に示すためには、山折り１０１と谷折り１０２で、相違したマークで表示する必要がある。本実施例では、山折り指示線１０３として１本の実線、谷折り指示線１０４として２本の平行実線を用いている。もちろん、これは約束事であるので、点線、１点鎖線でそれらを指示してもよいし、１本の実線の脇に「山折り」「谷折り」との文字を表記してもよい。いずれの方法によっても、正確な位置で山折り或いは谷折りができることが大切である。
【００３５】
図１０及び図１１を用いて、９０度折り曲げるＦＦＣ１１０の詳細を示す。本実施例では、９０度折り曲げ指示線１１３として１本の１点鎖線を用いている。もちろん、これも約束事であるので、実線、点線でそれらを指示してもよいし、１本の実線の脇に「９０度折り」との文字を表記してもよい。本実施例では、９０度折りをした際のＦＦＣ１１０側面がくるべき位置を指示しているが、折り曲げられる位置を指示（ＦＦＣ１１０に対して４５度傾斜した支持線により指示）してもよい。いずれの方法によっても、正確な位置で９０度折りができることが大切である。
【図面の簡単な説明】
【００３６】
【図１】本発明の実施例である複合電子機器全体の外観斜視図
【図２】上面フレームを取り外した状態の斜視図
【図３】底面フレームの上面への部品の取り付け状態を分解して示した分解斜視図
【図４】本発明の実施例である複合電子機器全体の構成正面図
【図５】本発明の実施例である複合電子機器全体の構成斜視図
【図６】ＦＦＣによるコネクタ（Ａ）（Ｂ）間の接続状態を示した詳細図
【図７】ＦＦＣによるコネクタ（Ｃ）（Ｄ）間の接続状態を示した詳細図
【図８】山折り及び谷折りによりＺ状に折り曲げられるＦＦＣ詳細図
【図９】山折り及び谷折りによりＺ状に折り曲げたＦＦＣ状態図
【図１０】９０度折り曲げられるＦＦＣ詳細図
【図１１】９０度折り曲げられたＦＦＣ状態図
【符号の説明】
【００３７】
１０  複合電子機器
２０  上面フレーム
３０  前面操作パネル
３１  ＤＶＤ媒体挿入口
３２  ビデオカセット媒体挿入口
４０  背面フレーム
５０  底面フレーム
６０  ＤＶＤ記録／再生ユニット
６３  支持柱（ＤＶＤ記録／再生ユニット）
７０  ビデオカセット記録再生ユニット
７３  支持柱（ビデオカセット記録再生ユニット）
７５  トランス
８０  チューナ
Ａ、Ｂ、Ｃ、Ｄ  コネクタ
１００、１１０  ＦＦＣ
【図１】
2005135537.tif 000003
【図２】
2005135537.tif 000004
【図３】
2005135537.tif 000005
【図４】
2005135537.tif 000006
【図５】
2005135537.tif 000007
【図６】
2005135537.tif 000008
【図７】
2005135537.tif 000009
【図８】
2005135537.tif 000010
【図９】
2005135537.tif 000011
【図１０】
2005135537.tif 000012
【図１１】
2005135537.tif 000013